(57)【特許請求の範囲】
【請求項１】
冷媒回路を形成する各機器および配管が設けられた室外機および室内機、ならびに該室内機に接続されるリモートコントローラで構成される空気調和機を備えた空気調和システムであって、
前記リモートコントローラに接続され、該リモートコントローラとの間で通信を行う情報端末と、
前記情報端末にネットワークを介して接続され、該情報端末との間で通信を行うサーバと
を備え、
前記室外機は、前記室外機の製品型名および製造番号を含む室外機識別情報を保持する第１のメモリを有し、
前記室内機は、前記室内機の製品型名および製造番号を含む室内機識別情報を保持する第２のメモリを有し、
前記リモートコントローラは、
前記室外機識別情報および前記室内機識別情報を保持する第３のメモリと、
前記空気調和機に異常が発生した場合に、前記異常の内容を示すエラー情報を表示する表示手段と
を有し、
前記室外機から前記室外機識別情報を取得するとともに、前記室内機から前記室内機識別情報を取得し、
取得した前記室外機識別情報および前記室内機識別情報を前記第３のメモリに保持し、
前記空気調和機に異常が発生した場合に、保持している前記室外機識別情報および前記室内機識別情報を前記エラー情報とともに前記表示手段に表示し、
前記情報端末は、
前記リモートコントローラと接続された場合に、前記リモートコントローラから前記室外機識別情報および前記室内機識別情報を取得し、
取得した前記室外機識別情報および前記室内機識別情報を前記サーバに送信する
空気調和システム。
【請求項２】
冷媒回路を形成する各機器および配管が設けられた室外機および室内機、ならびに該室内機に接続されるリモートコントローラで構成される空気調和機を備えた空気調和システムであって、
前記リモートコントローラに接続され、該リモートコントローラとの間で通信を行う情報端末を備え、
前記室外機は、前記室外機の製品型名および製造番号を含む室外機識別情報を保持する第１のメモリを有し、
前記室内機は、前記室内機の製品型名および製造番号を含む室内機識別情報を保持する第２のメモリを有し、
前記リモートコントローラは、
前記室外機識別情報および前記室内機識別情報を保持する第３のメモリと、
前記空気調和機に異常が発生した場合に、前記異常の内容を示すエラー情報を表示する表示手段と
を有し、
前記室外機から前記室外機識別情報を取得するとともに、前記室内機から前記室内機識別情報を取得し、
取得した前記室外機識別情報および前記室内機識別情報を前記第３のメモリに保持し、
前記空気調和機に異常が発生した場合に、保持している前記室外機識別情報および前記室内機識別情報を前記エラー情報とともに前記表示手段に表示し、
前記情報端末は、
施工業者の連絡先を示す連絡先情報を予め設定し、
前記リモートコントローラと接続された場合に、前記リモートコントローラから前記室外機識別情報および前記室内機識別情報を取得するとともに、前記連絡先情報を前記リモートコントローラに送信し、
前記リモートコントローラは、
前記情報端末から取得した前記連絡先情報を前記第３のメモリに保持する
空気調和システム。
【請求項３】
前記リモートコントローラは、
前記空気調和機に異常が発生した場合に、前記連絡先情報を前記エラー情報とともに前記表示手段に表示する
請求項２に記載の空気調和システム。
【請求項４】
冷媒回路を形成する各機器および配管が設けられた室外機および室内機、ならびに該室内機に接続されるリモートコントローラで構成される空気調和機を備えた空気調和システムであって、
前記リモートコントローラに接続され、該リモートコントローラとの間で通信を行う情報端末と、
前記情報端末にネットワークを介して接続され、該情報端末との間で通信を行うサーバと
を備え、
前記室外機は、前記室外機の製品型名および製造番号を含む室外機識別情報を保持する第１のメモリを有し、
前記室内機は、前記室内機の製品型名および製造番号を含む室内機識別情報を保持する第２のメモリを有し、
前記リモートコントローラは、
前記室外機識別情報および前記室内機識別情報を保持する第３のメモリと、
前記空気調和機に異常が発生した場合に、前記異常の内容を示すエラー情報を表示する表示手段と
を有し、
前記室外機から前記室外機識別情報を取得するとともに、前記室内機から前記室内機識別情報を取得し、
取得した前記室外機識別情報および前記室内機識別情報を前記第３のメモリに保持し、
前記空気調和機に異常が発生した場合に、保持している前記室外機識別情報および前記室内機識別情報を前記エラー情報とともに前記表示手段に表示し、
前記情報端末は、
前記空気調和機の位置を含む施工場所に関する施工場所情報を予め設定し、
前記リモートコントローラと接続された場合に、前記リモートコントローラから前記室外機識別情報および前記室内機識別情報を取得し、
前記室外機識別情報および前記室内機識別情報を受信した場合に、前記室外機識別情報および前記室内機識別情報と前記施工場所情報とを関連付け、
関連付けた前記室外機識別情報および前記室内機識別情報と前記施工場所情報とを前記サーバに送信する
空気調和システム。
【請求項５】
前記施工場所情報は、前記情報端末が操作されることによって設定される
請求項４に記載の空気調和システム。
【請求項６】
前記情報端末は、
現在位置を示す位置情報を取得する位置情報取得手段を有し、
前記情報端末の前記位置情報取得手段によって取得された位置情報を前記施工場所情報に設定する
請求項４に記載の空気調和システム。
【発明の詳細な説明】
【技術分野】
【０００１】
本発明は、各機器間でデータのやりとりを行う空気調和システムに関するものである。
【背景技術】
【０００２】
従来から、空気調和機に異常が発生した場合に、異常の内容および異常発生時の連絡先をリモートコントローラ（以下、「リモコン」と適宜称する）で報知することが行われている。また、異常発生時の連絡先は、書き換えることができるようになっている。例えば、特許文献１には、異常検出手段によって異常を検出したときに、異常内容と連絡先記憶手段に記憶された異常発生時の連絡先とを報知する装置が開示されている。【０００３】
この装置では、装置の運転操作を行うためのリモコンを操作することにより、連絡先の書き換えを行うことができる。このように、リモコンを操作して異常時の連絡先を書き換えることにより、専用の書き換えツール等を使用することなく、簡単に連絡先を書き換えることができる。また、この装置では、異常発生時に報知される連絡先を、リモコンの操作だけでなく、リモコン間での通信線を介したコピー、またはＰＣ（Ｐｅｒｓｏｎａｌ  Ｃｏｍｐｕｔｅｒ）を接続してＰＣからの入力によっても書き換えることができる。
【先行技術文献】
【特許文献】
【０００４】
【特許文献１】特開２００１−１２７３６号公報
【発明の概要】
【発明が解決しようとする課題】
【０００５】
しかしながら、特許文献１に記載の装置では、異常時に施工業者等の連絡先がリモコンに表示されるが、異常が発生した装置の種別等が不明である場合には、施工業者が施工場所に一旦出向いて装置の種別を確認した上で、修理部品等を用意する必要がある。そのため、装置に異常が発生してから異常を解消するまでに時間を要してしまうという課題があった。【０００６】
本発明は、上記課題に鑑みてなされたものであって、装置に異常が発生した際に、装置に関する識別情報を確認することが可能な空気調和システムを提供することを目的とする。
【課題を解決するための手段】
【０００７】
本発明に係る空気調和システムは、冷媒回路を形成する各機器および配管が設けられた室外機および室内機、ならびに該室内機に接続されるリモートコントローラで構成される空気調和機を備えた空気調和システムであって、前記リモートコントローラに接続され、該リモートコントローラとの間で通信を行う情報端末と、前記情報端末にネットワークを介して接続され、該情報端末との間で通信を行うサーバとを備え、前記室外機は、前記室外機の製品型名および製造番号を含む室外機識別情報を保持する第１のメモリを有し、前記室内機は、前記室内機の製品型名および製造番号を含む室内機識別情報を保持する第２のメモリを有し、前記リモートコントローラは、前記室外機識別情報および前記室内機識別情報を保持する第３のメモリと、前記空気調和機に異常が発生した場合に、前記異常の内容を示すエラー情報を表示する表示手段とを有し、前記室外機から前記室外機識別情報を取得するとともに、前記室内機から前記室内機識別情報を取得し、取得した前記室外機識別情報および前記室内機識別情報を前記第３のメモリに保持し、前記空気調和機に異常が発生した場合に、保持している前記室外機識別情報および前記室内機識別情報を前記エラー情報とともに前記表示手段に表示し、前記情報端末は、前記リモートコントローラと接続された場合に、前記リモートコントローラから前記室外機識別情報および前記室内機識別情報を取得し、取得した前記室外機識別情報および前記室内機識別情報を前記サーバに送信するものである。
【発明の効果】
【０００８】
以上のように、本発明によれば、室外機および室内機それぞれに保持された識別情報をリモートコントローラに保持することにより、装置に異常が発生した際に、装置に関する識別情報を確認することができる。
【図面の簡単な説明】
【０００９】
【図１】実施の形態１に係る空気調和システムの構成の一例を示すブロック図である。
【図２】実施の形態１に係る空気調和システムの構成の他の例を示すブロック図である。
【図３】実施の形態１に係る空気調和システムの構成の他の例を示すブロック図である。
【図４】実施の形態３に係る空気調和システムの構成の一例を示すブロック図である。
【発明を実施するための形態】
【００１０】
実施の形態１．
以下、本実施の形態１に係る空気調和システムについて説明する。
【００１１】
［空気調和機の構成］
図１は、本実施の形態１に係る空気調和システム１００の構成の一例を示すブロック図である。図１に示すように、空気調和システム１００は、室外機１０、室内機２０およびリモコン３０を備える空気調和機１と、情報端末４０とで構成されている。
【００１２】
空気調和機１において、室外機１０と室内機２０とは、有線または無線による第１の接続線２で、第１の通信方式を用いて接続されている。室内機２０とリモコン３０とは、有線または無線による第２の接続線３で、第２の通信方式を用いて接続されている。
【００１３】
また、リモコン３０は、無線による第３の接続線４で、第３の通信方式を用いて情報端末４０に接続されている。第３の通信方式としては、例えばＢＬＥ（Ｂｌｕｅｔｏｏｔｈ（登録商標）  Ｌｏｗ  Ｅｎｅｒｇｙ）技術を用いた近距離無線通信を用いることができる。リモコン３０は、この情報端末４０以外にも、例えば、空調対象空間内に設置された図示しない温湿度センサ等の汎用機器と第３の通信方式を用いて接続することもできる。
【００１４】
情報端末４０は、例えば、空気調和機１における各部の制御状態等の空気調和機１に関する情報をユーザに対して通知することができるものである。また、情報端末４０は、空気調和機１の試運転の指示等を行うこともできる。情報端末４０としては、例えば、スマートフォン、タブレット端末、およびノート型ＰＣ等の携帯端末を用いることができる。なお、情報端末４０は、これに限られず、据え置き型のＰＣ等の固定的に設置される端末を用いてもよい。
【００１５】
（空気調和機）
次に、空気調和機１の構成について説明する。空気調和機１は、圧縮機、熱源側熱交換器、膨張弁および利用側熱交換器等を有し、これらが配管で接続されて冷媒が流れることによって冷媒回路が形成されるものである。なお、図１に示す例では、本実施の形態１の特徴に関連する部分のみを図示し、冷媒回路を形成する各機器についての詳細な説明を省略する。
【００１６】
（室外機）
空気調和機１の室外機１０は、１または複数のセンサ１１、マイクロコンピュータ（以下、「マイコン」と適宜称する）１２、第１の通信手段１３、メモリ１４、ならびに冷媒回路を形成する機器としての圧縮機１５および膨張弁１６を備えている。
【００１７】
センサ１１は、室外機１０の各部に設置され、測定対象の状態を測定する。具体的には、例えば、各センサ１１は温度センサであり、外気温度、圧縮機１５の温度、および配管の温度等の各部の温度を測定する。測定された室外機１０における各部の温度等を示す情報は、室外機センサ情報としてマイコン１２に供給される。なお、センサ１１は、温度センサに限られず、例えば圧力センサ等を用いて各部の圧力等を測定してもよい。
【００１８】
マイコン１２は、例えば圧縮機１５および膨張弁１６等の冷媒回路を形成する機器の動作制御を行う等、室外機１０全体を制御する。例えば、マイコン１２は、センサ１１によって測定された室外機センサ情報に基づき、圧縮機１５の圧縮機周波数、および膨張弁１６の開度の指示を行う。
【００１９】
マイコン１２は、センサ１１によって測定された室外機センサ情報を取得する。そして、マイコン１２は、取得した室外機センサ情報を後述するメモリ１４へ書き込む制御を行う。また、マイコン１２は、後述する第１の通信手段１３の通信を制御する。さらに、マイコン１２は、室内機２０を介してリモコン３０から受信した制御指示情報に基づき、室外機１０の状態を設定および変更する。
【００２０】
第１の通信手段１３は、第１の通信方式を用いて室内機２０との間で行われる通信を、マイコン１２の命令に基づいて制御する。例えば、第１の通信手段１３は、室内機２０から、室内機２０に関するセンサ情報である室内機センサ情報を受信し、受信した室内機センサ情報をマイコン１２に供給する。
【００２１】
また、第１の通信手段１３は、室内機２０を介してリモコン３０からの制御指示情報を受信し、受信した制御指示情報をマイコン１２に供給する。さらに、第１の通信手段１３は、後述するメモリ１４に保持された室外機識別情報をマイコン１２から受け取り、室内機２０に対して送信する。
【００２２】
メモリ１４は、各種のデータを保持するデータ保持手段である。メモリ１４は、マイコン１２の制御により、センサ１１によって測定された室外機センサ情報の書き込みおよび読み出しを行う。また、メモリ１４は、マイコン１２の制御により、第１の通信手段１３を介して取得した室内機２０の吸込温度および配管の温度等の室内機センサ情報の書き込みおよび読み出しを行う。なお、以下では、「室外機センサ情報」および「室内機センサ情報」を総称して「センサ情報」と適宜称して説明する。
【００２３】
さらに、メモリ１４には、室外機１０を製造した際に、室外機１０を識別するための室外機識別情報が書き込まれている。室外機識別情報には、例えば、室外機１０の製品型名および製造番号が含まれている。製造番号は、室外機１０に固有な番号である。なお、この「メモリ１４」が本発明における「第１のメモリ」に対応する。
【００２４】
（室内機）
空気調和機１の室内機２０は、１または複数のセンサ２１、マイコン２２、第２の通信手段２３、第３の通信手段２４およびメモリ２５を備えている。
【００２５】
センサ２１は、室内機２０の各部に設置され、測定対象の状態を測定する。具体的には、例えば、各センサ２１は温度センサであり、空調対象空間の空気の吸込温度および配管の温度等の各部の温度を測定する。測定された室内機２０における各部の温度等を示す情報は、室内機センサ情報としてマイコン２２に供給される。なお、センサ２１は、温度センサに限られず、例えば圧力センサ等を用いて各部の圧力等を測定してもよい。
【００２６】
マイコン２２は、冷媒回路を形成する機器の動作制御を行う等、室内機２０全体を制御する。また、マイコン２２は、センサ２１によって測定された吸込温度および配管の温度といった各部の状態を示す室内機センサ情報を取得する。そして、マイコン２２は、取得した室内機センサ情報を後述するメモリ２５へ書き込む制御を行う。さらに、マイコン２２は、後述する第２の通信手段２３および第３の通信手段２４の通信を制御する。
【００２７】
マイコン２２は、後述するリモコン３０から受信した制御指示情報に基づき、室内機２０の状態を設定および変更する。また、マイコン２２は、受信した制御指示情報を必要に応じて室外機１０に対して転送する。
【００２８】
第２の通信手段２３は、第１の通信方式を用いて室外機１０との間で行われる通信を、マイコン２２の命令に基づいて制御する。例えば、第２の通信手段２３は、センサ２１で測定された室内機センサ情報、およびリモコン３０からの制御指示情報をマイコン２２から受け取り、室外機１０に対して送信する。また、第２の通信手段２３は、室外機識別情報を室外機１０から受信し、マイコン２２に供給する。
【００２９】
第３の通信手段２４は、第２の通信方式を用いてリモコン３０との間で行われる通信を、マイコン２２の命令に基づいて制御する。例えば、第３の通信手段２４は、制御指示情報をリモコン３０から受信し、受信した制御指示情報をマイコン２２に供給する。また、第３の通信手段２４は、第２の通信手段２３を介して室外機１０から受信した室外機識別情報と、マイコン２２から受け取った、後述するメモリ２５に保持された室内機識別情報とをリモコン３０に対して送信する。
【００３０】
メモリ２５は、各種のデータを保持するデータ保持手段である。メモリ２５は、マイコン２２の制御により、センサ１１によって測定された室内機センサ情報の書き込みおよび読み出しを行う。また、メモリ１４には、室内機２０を製造した際に、室内機２０を識別するための室内機識別情報が書き込まれている。室内機識別情報には、例えば、室内機２０の製品型名および製造番号が含まれている。製造番号は、室内機２０に固有な番号である。なお、この「メモリ２５」が本発明における「第２のメモリ」に対応する。
【００３１】
（リモートコントローラ）
空気調和機１のリモコン３０は、第４の通信手段３１、マイコン３２、メモリ３３、第５の通信手段３４、表示手段３５および操作手段３６を備えている。
【００３２】
第４の通信手段３１は、第２の通信方式を用いて室内機２０との間で行われる通信を、マイコン３２の命令に基づいて制御する。例えば、第４の通信手段３１は、マイコン３２から受け取った室外機１０および室内機２０の動作を制御するための制御指示情報を、室内機２０に対して送信する。また、第４の通信手段３１は、室外機識別情報と、室内機識別情報とを室内機２０から受信し、マイコン３２に供給する。なお、以下の説明において、「室外機識別情報」および「室内機識別情報」の両方を示す場合には、これらの識別情報を「空気調和機１の識別情報」と適宜称して説明する。
【００３３】
マイコン３２は、後述する操作手段３６に対するユーザの操作に基づき、このリモコン３０全体を制御する。例えば、マイコン３２は、ユーザによる操作によって得られる操作信号に基づき、室外機１０および室内機２０の動作を制御するための制御指示情報を生成する。
【００３４】
マイコン３２は、取得した空気調和機１の識別情報を後述するメモリ３３へ書き込む制御を行う。また、マイコン２２は、第４の通信手段３１および後述する第５の通信手段３４の通信を制御する。そして、マイコン３２は、空気調和機１の識別情報を取得した場合に、この識別情報を情報端末４０に送信するように、第５の通信手段３４を制御する。
【００３５】
メモリ３３は、各種のデータを保持するデータ保持手段である。メモリ３３は、マイコン３２の制御により、空気調和機１の識別情報の書き込みおよび読み出しを行う。なお、この「メモリ３３」が本発明における「第３のメモリ」に対応する。
【００３６】
第５の通信手段３４は、第３の通信方式を用いて情報端末４０との間で行われる通信を、マイコン３２の命令に基づいて制御する。例えば、第５の通信手段３４は、マイコン３２の制御によってメモリ３３から読み出された空気調和機１の識別情報を、情報端末４０に対して送信する。情報端末４０は、リモコン３０から受信した空気調和機１の識別情報を、インターネット等のネットワーク５を介して接続されたクラウド上のサーバ５０に対して送信し、サーバ５０上に記憶させる。
【００３７】
表示手段３５は、例えばＬＣＤ（Ｌｉｑｕｉｄ  Ｃｒｙｓｔａｌ  Ｄｉｓｐｌａｙ）、有機ＥＬ（Ｅｌｅｃｔｒｏ  Ｌｕｍｉｎｅｓｃｅｎｃｅ）ディスプレイ等によって構成されている。表示手段３５は、空気調和機１の識別情報に基づく室外機１０および室内機２０の製品型名および製造番号を表示することができる。なお、表示手段３５としては、例えば、ＬＣＤまたは有機ＥＬディスプレイ上にタッチセンサを有するタッチパネルが積層されたタッチパネルディスプレイを用いることができる。
【００３８】
操作手段３６は、この空気調和機１を操作するために用いられる各種のボタンまたはキー等が設けられ、各ボタンまたはキー等に対する操作に応じた操作信号を出力する。また、上述したように、表示手段３５がタッチパネルディスプレイである場合には、各種ボタンまたはキーがソフトウェアボタンまたはソフトウェアキーとして表示手段３５に表示されるようにしてもよい。
【００３９】
［空気調和システムの動作］
次に、上記構成を有する空気調和システム１００の動作について説明する。本実施の形態１では、空気調和機１の据付工事が完了した後に試運転を行う際に、空気調和機１の識別情報をリモコン３０、情報端末４０およびサーバ５０に保存する。
【００４０】
（リモコンによる識別情報の保持）
まず、空気調和機１の据付工事が完了し、リモコン３０の操作手段３６に対する操作によって空気調和機１の試運転が実施されると、リモコン３０のマイコン３２は、操作手段３６からの操作信号に基づき、試運転を示す制御指示情報を生成する。なお、試運転の実施は、例えば情報端末４０から行うようにしてもよい。
【００４１】
マイコン３２は、生成した制御指示情報を第４の通信手段３１に供給する。第４の通信手段３１は、第２の接続線３で接続された室内機２０に対して、第２の通信方式を用いて制御指示情報を送信する。
【００４２】
室内機２０において、第３の通信手段２４は、リモコン３０から送信された制御指示情報を受信し、受信した制御指示情報をマイコン２２に供給する。マイコン２２は、受け取った制御指示情報を第２の通信手段２３に供給する。第２の通信手段２３は、第１の接続線２で接続された室外機１０に対して、第１の通信方式を用いて制御指示情報を送信する。
【００４３】
また、マイコン２２は、受け取った制御指示情報に基づき、空気調和機１の試運転を行うことを認識すると、メモリ２５から室内機識別情報を読み出し、第３の通信手段２４に供給する。第３の通信手段２４は、第２の接続線３で接続されたリモコン３０に対して、第２の通信方式を用いて室内機識別情報を送信する。
【００４４】
室外機１０において、第１の通信手段１３は、室内機２０から送信された制御指示情報を受信し、受信した制御指示情報をマイコン１２に供給する。マイコン１２は、受け取った制御指示情報に基づき、空気調和機１の試運転を行うことを認識すると、メモリ１４から室外機識別情報を読み出し、第１の通信手段１３に供給する。第１の通信手段１３は、第１の接続線２で接続された室内機２０に対して、第１の通信方式を用いて室外機識別情報を送信する。
【００４５】
室内機２０において、第２の通信手段２３は、室外機１０から送信された室外機識別情報を受信し、受信した室外機識別情報をマイコン２２に供給する。マイコン２２は、受け取った室外機識別情報を第３の通信手段２４に供給する。第３の通信手段２４は、第２の接続線３で接続されたリモコン３０に対して、第２の通信方式を用いて室外機識別情報を送信する。
【００４６】
リモコン３０において、第４の通信手段３１は、室内機２０から送信された室外機識別情報と室内機識別情報とをそれぞれ受信し、受信したそれぞれの識別情報をマイコン３２に供給する。マイコン３２は、受け取った空気調和機１の識別情報をメモリ３３に書き込んで保持する。
【００４７】
このようにして保持された空気調和機１の識別情報には、上述したように、室外機１０および室内機２０それぞれの製品型名および製造番号が含まれている。例えば、空気調和機１に何らかの不具合または故障等の異常が発生した場合、リモコン３０のマイコン３２は、メモリ３３から空気調和機１の識別情報を読み出す。そして、マイコン３２は、読み出した空気調和機１の識別情報に含まれる室外機１０および室内機２０それぞれの製品型名および製造番号を、表示手段３５を用いて異常の内容を示すエラー情報であるエラーコードとともに表示させる。
【００４８】
なお、この例では、室外機識別情報および室内機識別情報をそれぞれ個別にリモコン３０に対して送信しているが、これはこの例に限られない。例えば、室内機２０は、室外機１０から室外機識別情報を受信した場合に、室内機識別情報を室外機識別情報とともにリモコンに送信してもよい。
【００４９】
（情報端末への識別情報の保存）
次に、リモコン３０のメモリ３３に空気調和機１の識別情報が保存された状態で情報端末４０が操作されると、マイコン３２は、メモリ３３に保持された空気調和機１の識別情報を読み出し、読み出した識別情報を第５の通信手段３４に供給する。第５の通信手段３４は、第３の接続線４で接続された情報端末４０に対して、第３の通信方式を用いて空気調和機１の識別情報を送信する。情報端末４０は、リモコン３０から送信された空気調和機１の識別情報を受信し、この識別情報を図示しないメモリ等に保存する。
【００５０】
（サーバへの識別情報の保存）
情報端末４０は、空気調和機１の識別情報を受信して保存すると、ネットワーク５を介して接続されたインターネット上のサーバ５０に、保存した識別情報を試運転の結果を示す情報とともに送信する。サーバ５０は、情報端末４０から送信された空気調和機１の識別情報および試運転の結果を示す情報を受信し、この識別情報を保存する。このようにしてサーバ５０に保存された空気調和機１の識別情報および試運転の結果を示す情報は、サーバ５０にアクセス可能な端末等から遠隔で確認することができる。
【００５１】
なお、ここでは、空気調和機１が１台の室外機１０と１台の室内機２０とで構成された場合を例にとって説明したが、これに限られず、例えば、室外機１０および室内機２０のいずれか一方が複数設けられてもよいし、両方とも複数設けられてもよい。すなわち、室外機１０および室内機２０の台数は、空気調和機１が設置される状況に応じて、適宜決定することができる。
【００５２】
図２および図３は、本実施の形態１に係る空気調和システム１００の構成の他の例を示すブロック図である。図２は、１台の室外機１０に複数の室内機２０が接続された場合の例を示す。図３は、複数の室外機１０のそれぞれに室内機２０がそれぞれ接続された場合の例を示す。このように、空気調和機１に室外機１０および室内機２０の少なくともいずれかが複数台設けられた場合であっても、リモコン３０は、リモコン３０に制御されるすべての室外機識別情報および室内機識別情報を保存することができる。そして、情報端末４０およびサーバ５０は、リモコン３０に保存された空気調和機１の識別情報を、図１に示す例と同様に保存することができる。
【００５３】
以上のように、本実施の形態１に係る空気調和システム１００は、冷媒回路を形成する各機器および配管が設けられた室外機１０および室内機２０、ならびに室内機２０に接続されるリモコン３０で構成される空気調和機１を備えている。室外機１０は、室外機１０の製品型名および製造番号を含む室外機識別情報を保持するメモリ１４を有し、室内機２０は、室内機２０の製品型名および製造番号を含む室内機識別情報を保持するメモリ２５を有し、リモコン３０は、室外機識別情報および室内機識別情報を保持するメモリ３３と、空気調和機１に異常が発生した場合に、異常の内容を示すエラー情報を表示する表示手段３５とを有している。リモコン３０は、室外機１０から室外機識別情報を取得するとともに、室内機２０から室内機識別情報を取得し、取得した室外機識別情報および室内機識別情報をメモリ３３に保持する。また、リモコン３０は、空気調和機１に異常が発生した場合に、保持している室外機識別情報および室内機識別情報をエラー情報とともに表示手段３５に表示する。
【００５４】
このように、本実施の形態１では、室外機識別情報および室内機識別情報をリモコン３０に保存する。そして、異常が発生した際に、識別情報に含まれる製品型名および製造番号をリモコン３０に表示させることにより、ユーザは、空気調和機１の機種等を容易に確認することができる。これにより、施工業者に連絡した際に、施工業者に機種等を伝えることができるため、点検および修理等を迅速に行うことができる。
【００５５】
また、空気調和システム１００は、リモコン３０に接続され、リモコン３０との間で通信を行う情報端末４０と、情報端末４０にネットワーク５を介して接続され、情報端末４０との間で通信を行うサーバ５０とをさらに備え、情報端末４０は、リモコン３０から空気調和機１の識別情報を取得し、取得した識別情報をサーバ５０に保存する。これにより、サーバ５０にアクセス可能な端末等から遠隔で機種等を確認することができる。
【００５６】
実施の形態２．
次に、本実施の形態２に係る空気調和システムについて説明する。本実施の形態２に係る空気調和システム１００は、施工業者の連絡先をリモコン３０に記憶させる点で、上述した実施の形態１と相違する。なお、以下の説明において、実施の形態１と共通する部分については同一の符号を付し、詳細な説明を省略する。
【００５７】
本実施の形態２に係る空気調和システム１００の構成については、実施の形態１と同様であるため、説明および図示を省略する。本実施の形態２において、情報端末４０は、施工業者の住所、工事店名および電話番号等の連絡先を示す連絡先情報を予め設定しておく。そして、情報端末４０とリモコン３０とが第３の通信方式で接続された場合、または情報端末４０とリモコン３０とが接続され、情報端末４０から空気調和機１の試運転が指示された場合に、情報端末４０は、設定された連絡先情報をリモコン３０に送信する。
【００５８】
リモコン３０において、第５の通信手段３４は、情報端末４０から送信された連絡先情報を受信し、受信した連絡先情報をマイコン３２に供給する。マイコン３２は、受け取った連絡先情報をメモリ３３に書き込んで保持する。
【００５９】
実施の形態１で説明したように、リモコン３０では、例えば、空気調和機１に異常が発生した場合に、空気調和機１の識別情報に含まれる室外機１０および室内機２０それぞれの製品型名および製造番号を、表示手段３５を用いてエラーコードとともに表示させる。本実施の形態２では、これらの情報とともに、施工業者の連絡先を併せて表示させる。
【００６０】
具体的には、例えば、空気調和機１に何らかの不具合または故障等の異常が発生した場合に、リモコン３０のマイコン３２は、メモリ３３から空気調和機１の識別情報および施工業者の連絡先情報を読み出す。そして、マイコン３２は、読み出した識別情報に含まれる室外機１０および室内機２０それぞれの製品型名および製造番号と、連絡先情報に含まれる施工業者の連絡先を、表示手段３５を用いてエラーコードとともに表示させる。
【００６１】
以上のように、本実施の形態２において、情報端末４０は、施工業者の連絡先を示す連絡先情報を予め設定し、リモコン３０と接続された場合に、連絡先情報をリモコン３０に送信する。リモコン３０は、情報端末４０から取得した連絡先情報をメモリ３３に保持する。
【００６２】
このように、リモコン３０は、情報端末４０から受信した施工業者の連絡先情報を保存することにより、例えばリモコン３０の操作手段３６を用いて施工業者の連絡先情報を書き込んで保存する場合と比較して、連絡先情報を容易に保存することができる。すなわち、リモコン３０を操作することなく、リモコン３０に連絡先情報を保存することができる。
【００６３】
また、空気調和機１に異常が発生した場合に、リモコン３０に施工業者の連絡先を表示させることにより、ユーザは、施工業者の連絡先を容易に確認して連絡することができる。
【００６４】
実施の形態３．
次に、本実施の形態３に係る空気調和システムについて説明する。本実施の形態３に係る空気調和システム１００は、空気調和機１の識別情報をサーバ５０に保存する際に、空気調和機１の施工場所に関する情報を関連付ける点で、上述した実施の形態１および２と相違する。なお、以下の説明において、実施の形態１および２と共通する部分については同一の符号を付し、詳細な説明を省略する。
【００６５】
本実施の形態３に係る空気調和システム１００の構成については、実施の形態１と同様であるため、説明および図示を省略する。本実施の形態３において、情報端末４０は、ユーザによる入力操作に基づき、施工場所の住所および氏名等の施工場所に関する情報を示す施工場所情報を予め設定しておく。情報端末４０は、上述した実施の形態１と同様の方法で空気調和機１の識別情報を受信した場合に、受信した識別情報と、予め設定された施工場所情報とを関連付ける。
【００６６】
そして、情報端末４０は、ネットワーク５を介して接続されたインターネット上のサーバ５０に、互いに関連付けられた識別情報および施工場所情報を送信する。サーバ５０は、情報端末４０から送信された空気調和機１の識別情報および施工場所情報を受信し、これらの情報を保存する。
【００６７】
（変形例）
次に、本実施の形態３の変形例について説明する。この例では、施工場所情報を設定する方法として、ＧＰＳ（Ｇｌｏｂａｌ  Ｐｏｓｉｔｉｏｎｉｎｇ  Ｓｙｓｔｅｍ）による位置情報を用いる。例えば、情報端末４０は、ＧＰＳによる位置情報を取得する機能を有している場合がある。その場合には、この位置情報取得機能を用いて取得した位置情報を用いて空気調和機１の施工場所を設定することができる。
【００６８】
図４は、本実施の形態３に係る空気調和システム１００の構成の一例を示すブロック図である。なお、以下の説明において、上述した実施の形態１および２と共通する部分については、同一の符号を付し、説明を省略する。
【００６９】
図４に示す例において、情報端末４０は、位置情報取得手段４１を備えている。位置情報取得手段４１は、ＧＰＳからＧＰＳ信号を受信する。位置情報取得手段４１は、受信したＧＰＳ信号に含まれている緯度および経度を示す位置情報を取得し、現在の情報端末４０の位置を測位する。
【００７０】
また、この例では、第３の接続線４で接続され、第３の通信方式を用いてリモコン３０と通信を行うことができる時計等の機器６０が設けられている。機器６０は、情報端末４０の位置情報取得手段４１と同様に、機器６０の位置を測位する位置情報取得手段６１を備えている。
【００７１】
本実施の形態３の変形例において、情報端末４０は、位置情報取得手段４１によって取得した位置情報を施工場所情報として取得する。また、情報端末４０は、上述した実施の形態１と同様の方法で空気調和機１の識別情報を受信した場合に、受信した識別情報と、取得した位置情報に基づく施工場所情報とを関連付ける。
【００７２】
そして、情報端末４０は、ネットワーク５を介して接続されたインターネット上のサーバ５０に、互いに関連付けられた識別情報および施工場所情報を送信する。サーバ５０は、情報端末４０から送信された空気調和機１の識別情報および施工場所情報を受信し、これらの情報を保存する。
【００７３】
また、本実施の形態３の変形例では、情報端末４０の位置を空気調和機１の施工場所とすることに代えて、例えば、空気調和機１の近傍に設置された時計等の機器６０の設置位置を施工場所としてもよい。この場合には、まず、リモコン３０と機器６０とが第３の通信方式を用いて接続される。
【００７４】
機器６０は、位置情報取得手段６１によって位置情報を取得し、リモコン３０を介して取得した位置情報を情報端末４０に送信する。情報端末４０は、機器６０から位置情報を受信し、この位置情報を施工場所情報として設定する。以下、本実施の形態３と同様にして、情報端末４０は、リモコン３０から受信した識別情報と施工場所情報と関連付け、サーバ５０に送信する。
【００７５】
なお、情報端末４０と機器６０とが直接接続できる場合には、リモコン３０を介さず、機器６０で取得した位置情報を情報端末４０で直接受信してもよい。また、例えば、空気調和機１の室外機１０、室内機２０またはリモコン３０等で位置情報を取得できる場合には、その位置情報を施工場所情報として、識別情報とともに情報端末４０に送信してもよい。
【００７６】
さらに、ＧＰＳは、衛星の電波が到達する範囲でのみ利用することができ、例えば屋内等ではＧＰＳ信号を受信できない場合がある。その場合には、例えば、情報端末４０等のＧＰＳ信号を受信できる機器が最後に取得した位置情報をジャイロセンサ等で補正し、補正した位置情報を施工場所情報としてもよい。
【００７７】
以上のように、本実施の形態３において、情報端末４０は、空気調和機１の位置を含む施工場所に関する施工場所情報を予め設定し、室外機識別情報および室内機識別情報を受信した場合に、室外機識別情報および室内機識別情報と施工場所情報とを関連付ける。そして、関連付けた室外機識別情報および室内機識別情報と施工場所情報とをサーバ５０に送信する。
【００７８】
このように、室外機識別情報および室内機識別情報と施工場所情報と関連付けてサーバ５０に保存することにより、遠隔から空気調和機１の設置場所を特定することができる。そのため、施工業者は、空気調和機１に異常が発生した場合に、空気調和機１の機種および設置場所を確認することができ、点検または修理等の対応を迅速に行うことができる。
【００７９】
以上、本発明の実施の形態１〜３および実施の形態３の変形例について説明したが、本発明は、上述した本発明の実施の形態１〜３および実施の形態３の変形例に限定されるものではなく、本発明の要旨を逸脱しない範囲内で様々な変形や応用が可能である。例えば、実施の形態１〜３および実施の形態３の変形例で示す例は、互いに組み合わせることができる。
【符号の説明】
【００８０】
１  空気調和機、２  第１の接続線、３  第２の接続線、４  第３の接続線、５  ネットワーク、１０  室外機、１１  センサ、１２  マイクロコンピュータ、１３  第１の通信手段、１４  メモリ、１５  圧縮機、１６  膨張弁、２０  室内機、２１  センサ、２２  マイクロコンピュータ、２３  第２の通信手段、２４  第３の通信手段、２５  メモリ、３０  リモートコントローラ、３１  第４の通信手段、３２  マイコン、３３  メモリ、３４  第５の通信手段、３５  表示手段、３６  操作手段、４０  情報端末、４１  位置情報取得手段、５０  サーバ、６０  機器、６１  位置情報取得手段、１００  空気調和システム。
【図１】
0006698884.tif 000002
【図２】
0006698884.tif 000003
【図３】
0006698884.tif 000004
【図４】
0006698884.tif 000005